Podtech/llm-jp-corpus-v4-ja_patent huggingface dataset:
(57)【要約】【課題】本考案は、猿に果樹の実をとられるのを防ぐ為の、刃形のＬ字型平鋼猿撃退具である。【解決手段】本考案はＬ字型の平型鋼の長い方に刃形を形成した、刃形のＬ字型平鋼猿撃退具であり、短い方の固定部をバンドまたはビスなどを用いて、木の幹に固定するだけなので、取り付け、取り外しが簡単であり、収穫時期の異なる各種の果樹の木に転用できる。また、収穫する時に外すことで、通常通りの作業が出来る。【選択図】図１
0003139647.tif 000002
【実用新案登録請求の範囲】
【請求項１】
Ｌ字形の平型鋼の長い方に刃形を形成した、刃形のＬ字型平鋼猿撃退具であって、短い方をバンドまたはビスなどを用いて、木の幹等に固定することを特徴とした、刃形のＬ字型平鋼猿撃退具
【考案の詳細な説明】
【技術分野】
【０００１】  本考案は果樹の実が猿等に取られるのを防ぐ為に、木の幹に取り付ける、刃形のＬ字型平鋼猿撃退具に関するものである。
【背景技術】
【０００２】  果樹の実を猿等から守る為の有効な手段が無く、果樹が熟した時期に見張りをするか、果樹の木を網で覆って、果樹の実が猿に取られるのを防ごうとしていた。
【考案の開示】
【考案が解決しようとする課題】
【０００３】  果樹の実を猿等から守る為の見張りは時間損失が大きく、また、果樹の木全体を網で覆う方法は、猿等が痛い思いをすることもなく、懲りることもないので、何度でも来るし、木の枝に網が絡まったりして木を痛める損失と、網の購入費や労働的負担が大きい。本考案はこの様な問題を解決する為に、木の幹に取り付ける、刃形のＬ字型平鋼猿撃退具を考案したものである。
【課題を解決する為の手段】
【０００４】  本考案は、Ｌ字型の平型鋼の長い方に刃形を形成した、刃形のＬ字型平鋼猿撃退具であるので、短い方をバンドまたはビスなどを用いて、木の幹に固定するだけで、簡単に取り付け、取り外しができ、問題点を解決している。
【考案の効果】
【０００５】本考案の、刃形のＬ字型平鋼猿撃退具は木の幹等に取り付けるため、猿が木に登れなくなり、果樹の実を猿から守ることが出来る。なお、隣の木にも取り付けて置けば、猿が隣の木から飛び移るのをも防止できる。また、実が熟して猿にとられる前に取り付け、収穫の時に外せば、収穫時期の異なる別の果樹の木にも転用できるので、費用や手間損失も少なく、また、木の枝を痛めることもなく、通常の収穫作業が出来る。
【考案を実施する為の最良の形態】
【０００６】木の幹の上下に二本のバンドを取り付けて置き、木の幹とバンドの間に、刃形のＬ字型平鋼猿撃退具の固定部を固定して置くか、固定ビス穴を用いてビスで固定することにより、簡単に取り付けができる。目印取り付け穴に、目印を紐で結んで取り付けて置くことで、刃形のＬ字型平鋼猿撃退具が取り付けられていることが分かり易く、猿も警戒して近づかなくなる。
【実施例】
【０００７】以下、添付図面に従って一実施例を説明する。１は耐久性のステンレス等の平型鋼を曲げて形成した刃形のＬ字型平鋼猿撃退具の本体、２は刃形のＬ字型平鋼猿撃退具の刃形であり、刃形の形成は木に取り付けられる上側が重要で有り、下側は省略しても構わない。猿が木に登る時は、刃形のＬ字型平鋼猿撃退具の上側に手をかけ、下側に手をかけることが少ない。３はバンドで木に固定する為の固定部、４はビスで木に固定する為のビス穴、５は目印を取り付ける穴を示す。【０００８】６は木の幹に巻いたバンド、７は取り付けビス、８は目印を示す。９の木の幹等に刃形のＬ字型平鋼猿撃退具を取り付ける場合において、バンドのみ、或いは、ビスのみで取り付けても良いが、バンドとビスの両方で取り付けても構わない。尚、目印は付けても付けなくても構わないが、刃形のＬ字型平鋼猿撃退具を分かり易くする効果がある。
【図面の簡単な説明】
【０００９】
【図１】本考案の刃形のＬ字型平鋼猿撃退具の正面図である。
【図２】刃形のＬ字型平鋼猿撃退具の側面図を示す。
【図３】木の幹に刃形のＬ字型平鋼猿撃退具を取り付けた実施例を示す
【符号の説明】
【００１０】１  刃形のＬ字型平鋼猿撃退具
２  刃形
３  固定部
４  ビス穴
５  目印取り付け穴
６  バンド
７  ビス
８  目印
９  木の幹
【図１】
0003139647.tif 000003
【図２】
0003139647.tif 000004
【図３】
0003139647.tif 000005
(57)【要約】【課題】    本考案は、レジカゴバッグ口部分にゴムを入れ、レジカゴに固定することを容易にしたものである。【解決手段】  本考案は、レジカゴバッグ本体１の両側面の口部分にゴムを入れ、前後部のプラスチック製ハンドルを持って引っ張ることによって口を広げて、レジカゴに被せて固定する。両側面にゴムが入っていることによって取り付けと固定を容易にしたものである。【選択図】図１
0003139687.tif 000002
【実用新案登録請求の範囲】
【請求項１】
レジカゴバッグ本体の両側面の口部分にゴムを入れることによって取り付けと固定を容易にした開口部伸縮レジカゴバッグ
【考案の詳細な説明】
【技術分野】
【０００１】  本考案は、レジカゴに被せて買い物をし、レジカゴから外してそのまま持ち運ぶことができる事を特徴としたショッピングバッグに関するものである。
【背景技術】
【０００２】  従来の、レジカゴに被せて買い物をし、レジカゴから外してそのまま持ち運べるタイプのショッピングバッグでは、レジカゴに固定する事ができず、また、口部分が巾着になっているため開閉とレジカゴへの設置がさほど容易ではなかった。
【考案の開示】
【考案が解決しようとする課題】
【０００３】  レジカゴバッグの口部分にゴムを入れ、前述の欠点を解決しようとするものである。
【考案を解決するための手段】
【０００４】  本考案によるショッピングバッグでは、口部分にゴムが入っているためレジカゴに被せて簡単に固定と設置を行う事ができるようになる他、開閉も簡単になる為、上述の問題を解決している。
【考案の効果】
【０００５】  口部分にゴムが入っておりレジカゴに完全に被せて固定する事ができるようになるので、バッグとレジカゴとの間に物が落ちなくなる。また、口を大きく広げることができ、荷物が取りやすい。その他、口部分にマジックテープ、ハンドルに持ち手まとめが付いている為、口が広いデザインではあるが中身がこぼれ落ちづらいという利点がある。
【考案の実施するための最良の形態】
【０００６】  まず普通のレジカゴで買い物をする。清算の際、バーコード読み込みをした後の品物を入れるレジカゴに取り付ける。プラスチック製のハンドルを持ち、口を広げて取り付け、固定する。精算後そのままバッグをレジカゴから外して口を閉じ、持ち運ぶ。
【実施例】
【０００７】  以下、添付図面に従って一実施例を説明する。１は２１０Ｄポリエステルによってできた本体。２は本体についているＰＰテープ製の持ち手である。３は持ち手に付いている２１０Ｄポリエステルとウレタン、マジックテープからなる持ち手まとめである。４は本体両側面の口部分のゴム入りのギャザー部である。５は前面と背面についているプラスチック製のハンドルである。６はバッグの口部分を留めるマジックテープである。【０００８】  使用の際には５を両手で持ち、口を広げてレジカゴに取り付ける。中に品物を入れ、口を６のマジックテープで止める。３の持ち手まとめで、２の本体前後に付いているＰＰテープ製の持ち手をまとめる。持ち手まとめにはウレタンが入っているので、重いものを入れても腕および手が痛くならず便利である。
【図面の簡単な説明】
【０００９】
【図１】本考案の開口部伸縮レジカゴバッグの斜視図。
【図２】本考案の開口部伸縮レジカゴバッグの側面図。
【図３】本考案の開口部伸縮レジカゴバッグのレジカゴ設置図。
【図４】本考案の開口部伸縮レジカゴバッグの口部分のマジックテープをはり合わせて口を閉じている状態。
【符号の説明】
【００１０】  １  レジカゴバッグ本体
２  ハンドル
３  持ち手まとめ
４  ギャザー部分
５  プラスチック製のハンドル
６  マジックテープ
【図１】
0003139687.tif 000003
【図２】
0003139687.tif 000004
【図３】
0003139687.tif 000005
【図４】
0003139687.tif 000006
(57)【要約】      （修正有）【課題】円筒型閉管笛の加工誤差による基音の調律を容易にすると共に軸方向長を長くして音孔を増設しても笛の空洞部の容積の増大を小さく抑える方法を提供する。【解決手段】中空円筒１の一端に歌口６を有し、他端に栓８を設けて閉管型笛を構成し、その栓の軸方向位置を変更する事で中空円筒の容積を変更でき、音孔７の全閉時の基音の調律を可能にした。また、栓８に円筒部と軸断面積を歌口側６に向かって減少する部分を設け、円筒部で中空円筒への密接を確保し、断面積減少部分と対向する中空円筒１の壁に増設する音孔７ａを設けたため有底円筒で軸方向長を延長する場合よりも容積の増大を抑えられ、音孔全閉時の低音から全開時の高音まで安定して発する事ができる。【選択図】図１
0003139682.tif 000002
【実用新案登録請求の範囲】
【請求項１】
中空円筒の一端にブロックとウィンドウェイ、エッジ、窓からなる歌口を有し、他端に円筒を密閉する栓を有し、歌口と栓の間の中空円筒壁に複数の音孔を有する閉管型笛。
【請求項２】
栓を円筒部と軸直角断面積が斬減する部分とから構成し、前記斬減部を中空円筒内に挿入し、前記円筒部で笛の中空円筒内壁に密接させるようにしたことを特徴とする実用新案登録請求の範囲第１項記載の閉管型笛。
【請求項３】
栓の一部または全部をコルクまたはゴムなどの弾力性部材で構成し、この弾力性部材を介して栓を中空円筒内壁に密着するようにしたことを特徴とする実用新案登録請求の範囲第１項記載の閉管型笛。
【考案の詳細な説明】
【技術分野】
【０００１】  本考案は円筒型のオカリナに関するものである。
【背景技術】
【０００２】  図３に示す従来の円筒型オカリナは有底中空円筒１１を有し、その開口端にブロック２とウィンドウェイ３、エッジ４、窓５からなる歌口６を設け、複数の音孔７を中空円筒部の壁面に設け、縦笛状に支持して演奏している。
【考案の開示】
【考案が解決しようとする課題】
【０００３】  閉管型笛の場合発する音の高さは容積と窓を含めた開口する音孔７の面積により決まるため音孔７の全閉時の音程を基音とするとそれは中空円筒１の容積と窓の大きさに依存する。円筒の径方向および軸方向の加工誤差は中空円筒部の容積に影響する。従来の有底中空円筒型の笛では歌口を加工した後の基音の調律は窓の大きさに依存する事になるため調律幅が狭い。
また、縦笛状に演奏する形態から拡張する音域の音孔を笛の軸線方向に設ける場合、延長する軸方向長は最低でも指の幅以上の長さが必要となる。単純に円筒部を長くした場合、音孔を全開して所定の高音を発しようとすると倍音を発するなどの不都合を生じる事がある。
また、ブロック２が最適形状にあるかどうかを確認するにはブロック２を笛に装着して試奏してみなければならない。試奏の結果によってはブロックを取り外して形状を調整する必要が生じる。その結果、装着、取り外しを繰り返さなければならない場合もある。従来の有底中空円筒型の笛の場合、ブロック２の取り外しが容易でないためどうしても隙間ばめにせざるを得ない。最終的にブロック２は接着などにより固定されるが、隙間ばめのため接着固定後、試奏時の最適なウィンドウェイ３の再現が難しく、高音域の音色に悪影響を与えたり、最悪の場合は高音を発しなくなる不具合を生じる。
【課題を解決するための手段】
【０００４】  本考案は円筒部を中空円筒とし、歌口と反対側に設けた栓８で閉管型笛を構成したため、栓８を中空円筒内で前後させることで中空円筒部の容積を容易に変更できる。
栓８の軸方向長を長くし、その一部を中空円筒との密閉部に使用し、残りの部分を中空円筒内に突出させ、その軸直角断面積が歌口６側に向かって減少するように構成したため、笛の軸方向長を長くしても有底中空円筒の場合の中空円筒部容積の増大よりも少ない容積の増大に抑えることができる。
【考案の効果】
【０００５】  増設する音孔７ａを笛の軸方向に増設しても中空円筒部の容積の増大を最小限にする事ができるため音孔７を全開して所定の高音を発しさせる場合、倍音を発するなどの不都合を生じる事がない。
また、栓８をコルクまたはゴムなどの弾性体で構成した場合はもちろん、栓８の円筒部にコルクまたはゴムなどの弾性体９を接着等の手段で配置したため中空円筒内壁と栓８の密閉を確保でき、もって閉管型の笛を実現し、しかもこの栓８を中空円筒軸方向に前後する事で中空円筒部容積を可変できるため音孔７全閉時の基音の高さを容易に調律できるとともに各音孔７の調律も正確に行うことができる。
また、ブロック２を歌口の中空円筒部に軽い圧接状態で組立てても栓８を外せば棒などでブロック２を円筒外に押し出すことができるためブロック２を歌口の中空円筒部に軽い圧接状態で組立てた状態で試奏を繰り返す事が可能となり、最適なウィンドウェイ３を構築することが容易となる。その後、タケ串などのピン１０を圧入もしくは接着する事によりブロック２を最適なウィンドウェイ３を保持したまま固定ができる。
栓８の断面積が減少する部分に対抗する音孔は栓８の断面積減少部と中空円筒１によって構成される空間に向けて開けられることは言うまでもない。
【考案を実施するための最良の形態】
【０００６】  図１は第１の実施例を示す。栓８の中空円筒１内に突出する部分は栓の軸方向線に対し一定の角度で切断し栓の断面積を歌口側に向かって減少させる構造としたものである。
栓８の円筒部に配置した弾性部材９で中空円筒部との密接を実現した例を示す。
【実施例】
【０００７】  図２は第２の実施例を示す。栓８に円錐形の窪みを設けたものである。栓８全体を弾性体で構成した場合を示す。音孔７ａは栓の断面積減少部を貫通して設けてもよい。
【図面の簡単な説明】
【０００８】
【図１】第１の実施例
【図２】第２の実施例
【図３】従来例
【符号の説明】
【０００９】  １・・・中空円筒
２・・・ブロック
３・・・ウィンドウェイ
４・・・エッジ
５・・・窓
６・・・歌口
７・・・音孔
７ａ・・・増設する音孔
８・・・栓
９・・・弾性部材
１０・・・ブロック固定ピン
１１・・・有底中空円筒
【図１】
0003139682.tif 000003
【図２】
0003139682.tif 000004
【図３】
0003139682.tif 000005
(57)【要約】      （修正有）【課題】笛の円筒内部に凹部溝を、ブロックに凸部を加工する場合に、隙間無く嵌合できるように加工する。【解決手段】笛の一端に笛本体円筒部の内径１ｃよりも径の大きい円筒部１ｂを設け、ブロック２をこれに勘合する円筒とし、ブロック２の外周部に円筒軸と平行または交差する平面部分２ｂを設け、この平面部分２ｂと前記径の大きい円筒部１ｂとでウィンドウェイ５を構成し、これをエッジ３と対向するように構成したことを特徴とする笛の歌口。【選択図】図１
0003139681.tif 000002
【実用新案登録請求の範囲】
【請求項１】
笛の一端に笛本体円筒部の内径よりも径の大きい円筒部を設け、ブロックをこれに勘合する円筒とし、ブロック円筒の外周部にブロック円筒軸と平行または交差する平面部分を設け、この平面部分と前記径の大きい円筒部内面とでウィンドウェイを構成し、これを窓を介してエッジと対向するように構成したことを特徴とする笛の歌口。
【考案の詳細な説明】
【技術分野】
【０００１】  本考案は笛の歌口に関するものである。
【背景技術】
【０００２】  図３は従来のリコーダーの歌口部分の軸方向断面を示す。図４は図３のＢ−Ｂ′断面を示す。従来のリコーダーなどの笛の歌口は笛本体１、ブロック２、エッジ３、窓４、ウィンドウェイ５で構成される。ウィンドウェイ５は笛の円筒内径部に凹部溝１ａを掘り、ブロック２にこの凹部溝１ａの深さより低い凸部２ａを設け、これを凹部溝１ａと円筒内径部に嵌合させて生じる隙間をいう。エッジ３は窓を介してウィンドウェイ５の出口と対向している。さらにウィンドウェイ５とエッジ３の関係はＢ−Ｂ′断面で見た図４に示すとおりとなり、ウィンドウェイ５内にエッジ３を見通すことができる構造となっている。
【考案の開示】
【考案が解決しようとする課題】
【０００３】  従来の方法では笛１の円筒内径部に凹部溝１ａを、ブロック２に凸部２ａを加工する必要があり、さらにそれらを隙間無く嵌合させなければならないことから加工が難しい欠点を有していた。
【課題を解決するための手段】
【０００４】図１に示すとおり、笛の一端に笛本体円筒部１の内径１ｃよりも径の大きい円筒部１ｂを設け、ブロック２をこれに勘合する径の円筒とし、これにブロック２の円筒軸と平行または交差する平面部分２ｂを設け、この平面部分２ｂと径の大きい円筒部１ｂの内面とで構成されるウィンドウェイ５をエッジ３と対向するように構成する。これをＡ−Ａ′断面で見ると図２に示すとおりウィンドウェイ５内にエッジ３を見通すことができる構造となる。
【考案の効果】
【０００５】  ウィンドウェイ５を従来同様にエッジ３に対向して配置できるため従来の歌口と同等の効果が得られる上、笛本体内径部に凹部溝１ａを設ける必要が無く、かつブロック２に凸部２ａを加工する必要も無いため加工が容易のため安価な笛の歌口を提供できる。
【考案を実施するための最良の形態】
【０００６】  図１に示すとおり、ブロック２の平面部２ｂをブロック２の円筒軸と交差する角度で設け、これと笛本体に設けた径の大きい円筒部１ｂの内面で構成されるウィンドウェイ５をエッジ３と対向させるように構成する。
【図面の簡単な説明】
【０００７】
【図１】本考案実施例の軸方向断面
【図２】図１のＡ−Ａ′断面
【図３】従来例の軸方向断面
【図４】図３のＢ−Ｂ′断面
【符号の説明】
【０００８】１・・・笛本体
１ａ・・・凹部溝
１ｂ・・・本体円筒より大径の同心円筒部
１ｃ・・・笛本体内径
２・・・ブロック
２ａ・・・凸部
２ｂ・・・平面部
３・・・エッジ
４・・・窓
５・・・ウィンドウェイ
６・・・ピン
【図１】
0003139681.tif 000003
【図２】
0003139681.tif 000004
【図３】
0003139681.tif 000005
【図４】
0003139681.tif 000006
(57)【要約】      （修正有）【課題】面倒な筐体寸法の変更をせずに僅かな材料と手間で必要な緩衝材を減量して、内容物を安全に輸送し得るばかりでなく、輸送資材使用後の廃棄量の減少にも役に立つ梱包用抑圧資材を提供する。【解決手段】梱包用段ボール箱の上面開口部の長い方の辺の寸法を、片段ボール緩衝材の波形の連なっている方向の寸法として截断し、その中央部に段ボール箱の他の辺の内寸より５〜１０粍位大きい間隔の二本の罫線で抑圧面を設け、その両脇に３０〜５０粍巾位の加圧力保持面を設け、波状面が外側になるように罫線で折り曲げ、中央の抑圧面の平滑側が凸となるように湾曲させて、波状面が荷物を抑えるように押し込むことにした。【選択図】図１
0003139683.tif 000002
【実用新案登録請求の範囲】
【請求項１】
荷物を収容し、未閉塞の梱包用段ボール箱において、箱とは別の片面段ボール緩衝材の波形の連なっている方向は、箱の上面開口部の一方の内寸と同じに截断し、その中央部に箱の他の内寸より５〜１０粍位大きい間隔の二本の罫線で抑圧面を設け、その両脇に３０〜５０粍巾位の加圧力保持面を設け、波状面が外側になるように罫線で折り曲げ、中央の抑圧面の平滑側が凸となるように湾曲させて、波状面が荷物を抑えるように押し込むことを特徴とする梱包用抑圧資材。
【考案の詳細な説明】
【技術分野】
【０００１】  本考案は、荷物発送時に段ボール箱に荷物を入れ、該荷物が外部からの衝撃や振動によって破損しないように、クッション性のある緩衝材を段ボール箱の内側と荷物との間や荷物と荷物の間に介在させるが、その緩衝材を少量で足りるようにする為の技術分野に属する。
【背景技術】
【０００２】  緩衝材として用いられるものには、古紙をシュレッダーで截断した物や体裁のよいものとしては、シート状プラスチック発泡体、団塊状プラスチック発泡体、ポリエチレンフィルム２枚を含む気球体状に貼り合せた商品名「エアーパックプチプチ」等最近では地球温暖化対策として廃棄時に土壌に埋め、分解させる植物由来の生分解性緩衝材が用いられるなど、緩衝用資材の高品質化が進んでいる。
【考案の開示】
【考案が解決しようとする課題】
【０００３】  高品質の緩衝材は当然に割高であり、少量の緩衝材で高度の耐衝撃性の梱包技術が要求される。
【課題を解決する為の手段】
【０００４】  段ボール箱を収納可能状態に組立て、荷物と共に必要な緩衝材を介在させ、その上部に本考案の形態の片面段ボール緩衝材を押し込むことで、抑圧、梱包することにより、緩衝材の必要量を抑制せんとする。
【考案の効果】
【０００５】  上述のように、本考案の梱包用抑圧資材は単一板状の片面段ボール緩衝材であるから、面倒な筐体寸法の変更をせずに僅かな材料と手間で必要な緩衝材を減量しても、内容物を安全に輸送し得るばかりでなく、輸送資材使用後の廃棄量の減少にも役立つ。
【考案を実施する為の最良の形態】
【０００６】  片面段ボール緩衝材の波形長手方向を段ボール箱の上面内寸の長い方の寸法と同じに截断し、その中央部に段ボール箱上面寸法の他辺の寸法より５〜１０粍大きい寸法で二本の罫線（折り曲げ線）を設け、その両脇に加圧保持面を設け、波状面が外側になるように罫線で折り曲げ、中央の抑圧板の平滑な面が凸となるように湾曲させて、波状面が荷物を抑えるように押し込むことにより、輸送中の荷物が容易に移動しないようにする。
【実施例】
【０００７】  以下、図面に従って実施例を説明する。
図１において、梱包用段ボール箱の上面内寸は２０糎×４０糎にして、図２の抑圧板の展開図において、抑圧面５、加圧力保持板６の全巾は４０糎で、段ボール箱の上面内寸の大きい方の寸法と同じにする。
他の１辺は端から５糎、其処から４０．７糎の位置に２本の罫線４を引き、其処から５糎の位置で截断して、所要の抑圧資材は出来上がる。これを使用するには、波状面が外側になるように湾曲させて荷物を抑えるように押し込む。【０００８】  図２において、罫線４で示す内側は抑圧面５を示し、その外側夫々の面は波状面を外側にして折り曲げ、加圧力保持面６を形成する。抑圧面５が被梱包物２を抑圧して安全に輸送する為には、抑圧面の寸法は梱包用段ボール箱の開口面縦横の寸法に対し、波の長手方向には約５〜１０粍位大きく、波の連なっている方向はほゞ等しい寸法が望ましい。【０００９】  被梱包物２がやゝ重い場合には、加圧力保持面と段ボール箱の内面とを木工用ボンド等で接着すると被梱包物２は更に移動し難くなる。
【図面の簡単な説明】
【００１０】
【図１】本考案梱包用抑圧資材使用時の斜視図
【図２】本考案梱包用抑圧資材の展開図
【符号の説明】
【００１１】    １．  梱包用段ボール箱
２．  被梱包物（荷物及び緩衝材）
３．  抑圧資材（図２全図）
４．  罫線
５．  抑圧面
６．  加圧力保持面
【図１】
0003139683.tif 000003
【図２】
0003139683.tif 000004
(57)【要約】      （修正有）【課題】上下に揺れるマスコットで、メッセージを常に意識してもらうことができる、安全運転を促すマスコット及びメッセージプレートを提供する。【解決手段 】マスコット４の上部と下部に縦軸１を通すための管Ａ３と管Ｂ５を設け、マスコットの上部にばね２の下部を取り付ける。管Ｂからばねの上部まで縦軸を通し、ばねの上部と縦軸の上部とを固定する。ステー６にメッセージプレート７を取り付ける。ステーの先端に角度自在ボール８を取り付け、吸盤９の後部には縦穴軸１０を斜めに作り、縦穴軸に縦穴１１を設ける。縦穴に角度自在ボールを差し込む。【選択図】図２
0003139686.tif 000002
【実用新案登録請求の範囲】
【請求項１】
（イ）マスコット（４）の上部と下部に縦軸（１）を通すための管Ａ（３）と管Ｂ（５）を設け、マスコット（４）の上部にばね（２）の下部を取り付ける。
（ロ）管Ｂ（５）からばね（２）の上部まで縦軸（１）を通し、ばね（２）の上部と縦軸（１）の上部とを固定する。
（ハ）ステー（６）にメッセージプレート（７）を取り付け、その後ろに縦軸（１）を取り付ける。
（ニ）ステー（６）の先端に角度自在ボール（８）を取り付ける。
（ホ）吸盤（９）の後部には縦穴軸（１０）を斜めに作り、縦穴軸（１０）に縦穴（１１）を設ける。
（ヘ）縦穴（１１）に角度自在ボール（８）を差し込む。
以上の構成よりなる安全運転を促すマスコット及びメッセージプレート
【考案の詳細な説明】
【技術分野】
【０００１】
本考案は、車の走行中に後続車に対し常にメッセージを促すための、安全運転を促すマスコット及びメッセージプレートに関するものである。
【背景技術】
【０００２】
従来、メッセージプレートを車のリアウィンドーやボディーに直接貼るタイプや、メッセージプレートに吸盤を付けリアウィンドーに貼るタイプなどがあった。
【非特許文献１】http://www.carmate.co.jp/ailebebe/goods/index.html
【非特許文献２】http://depart.livedoor.com/search/?word=%BD%E9%BF%B4%BC%D4&tid=5913&o=3&v=2&t=1&l=20
【考案の開示】
【考案が解決しようとする課題】
【０００３】
解決しようとする問題点は、メッセージプレートを付けても、ステッカー感覚になってしまい、後続車に気づいてもらえなかったり、気づいてもしばらく走っているうちに、忘れられてしまったりすることがあった。
本考案は、以上のような欠点を無くすためになされたものである。
【課題を解決するための手段】
【０００４】
（イ）マスコット（４）の上部と下部に縦軸（１）を通すための管Ａ（３）と管Ｂ（５）を設け、マスコット（４）の上部にばね（２）の下部を取り付ける。
（ロ）管Ｂ（５）からばね（２）の上部まで縦軸（１）を通し、ばね（２）の上部と縦軸（１）の上部とを固定する。
（ハ）ステー（６）にメッセージプレート（７）を取り付け、その後ろに縦軸（１）を取り付ける。
（ニ）ステー（６）の先端に角度自在ボール（８）を取り付ける。
（ホ）吸盤（９）の後部には縦穴軸（１０）を斜めに作り、縦穴軸（１０）に縦穴（１１）を設ける。
（ヘ）縦穴（１１）に角度自在ボール（８）を差し込む。
本考案は、以上の構成よりなる安全運転を促すマスコット及びメッセージプレートである。
【考案の効果】
【０００５】
リアウインドーの角度によって、ステーを動かすことができるので幅広い車種に使用することができる。又、車の走行時の振動でマスコットが上下に揺れる為、後続車の視界に留まり易く、メッセージを常に意識してもらえることができるので、安心して運転できる。
【考案を実施するための最良の形態】
【０００６】
以下、本考案を実施するための最良の形態について説明する。
（イ）マスコット（４）の上部と下部に縦軸（１）を通すための管Ａ（３）と管Ｂ（５）を設け、マスコット（４）の上部にばね（２）の下部を取り付ける。
（ロ）管Ｂ（５）からばね（２）の上部まで縦軸（１）を通し、ばね（２）の上部と縦軸（１）の上部とを固定する。
（ハ）ステー（６）にメッセージプレート（７）を取り付け、その後ろに縦軸（１）を取り付ける。
（ニ）ステー（６）の先端に角度自在ボール（８）を取り付ける。
（ホ）吸盤（９）の後部には縦穴軸（１０）を斜めに作り、縦穴軸（１０）に縦穴（１１）を設ける。
（ヘ）縦穴（１１）に角度自在ボール（８）を差し込む。
本考案は、以上のような構造である。
これを使用するときは、車のリアウインドーに吸盤で固定し、マスコットがスムーズに動く角度になるように、ステーを動かして、角度調節をする。
【産業上の利用可能性】
【０００７】
常にマスコットが上下に揺れるので後続車に気付き易く、常に意識してもらえるので、赤ちゃんや子供を乗せていたり、初心運転者や高齢運転者又、身障運転者だったり、お先にどうぞなど後続車に知らせたいメッセージがある方など幅広く利用される。
【図面の簡単な説明】
【０００８】
【図１】本考案の実施の形態に係る正面図である
【図２】本考案の実施の形態に係る側面図である
【図３】本考案の実施の形態を示す説明図である
【図４】本考案の吸盤の部分の斜視図である
【符号の説明】
【０００９】
１      縦軸
２      ばね
３      管A
４      マスコット
５      管B
６      ステー
７      メッセージプレート
８      角度自在ボール
９      吸盤
１０    縦穴軸
１１    縦穴
【図１】
0003139686.tif 000003
【図２】
0003139686.tif 000004
【図３】
0003139686.tif 000005
【図４】
0003139686.tif 000006
(57)【要約】【課題】骨盤底筋体操を行なうとき、本体を椅子に座った状態で両膝に挟み、骨盤底筋群の筋肉を引き締め鍛える運動を補助する。誰にでもできる手軽に使用可能な器具の提供。【解決手段】長方形の立方体形状で落下防止の補助具を両膝上に載せ、肛門が絞まるのを意識しながら圧縮・開放を繰り返し行ない、骨盤底筋を鍛える骨盤底筋体操の補助器具。【選択図】図３
0003139627.tif 000002
【実用新案登録請求の範囲】
【考案の詳細な説明】
【技術分野】本考案は骨盤底筋体操を効果的に行なうもので、本体を両膝に挟み圧縮・開放を繰り返し骨盤底筋の筋肉群の筋肉を動かし尿失禁の予防、改善を図るとともに強化することを目的とした運動補助器具。
【技術背景】
従来の尿失禁対策は失禁後にショーツやナプキン等を使用したり、薬を服用する方法がとられたり、器具を膣内へ挿入する手間がかかる方法や、立った姿勢で器具を股間に挟む方法などがあるが利便性に欠け且つまた恥辱的である。
【考案の開示】
尿失禁後の対策として、ナプキン、尿漏れ吸収パッドと事後対策のみが先行し、根本治療にはなっていない。
本考案の目的は骨盤底筋群やその周辺の筋肉をも動かし改善と強化する為の骨盤底筋補助器具で、椅子に座った姿勢で手軽に使用可能であることを課題としている。
【課題を解決するための手段】
本考案は長方形の立方体形状で、ゴムか合成樹脂である弾性に富む材料で形成され、椅子に座った姿勢で両膝に挟み肛門が絞まるのを意識しながら圧縮・開放を繰り返し骨盤底筋群の筋肉を強化し、尿失禁の予防改善を目的としたものである。
本考案の本体は、圧縮時に加わる負荷は最大で２ｋｇ。使用する人により負荷の加減ができ、本体を圧縮したあと開放時に床などへ落下することを防止する為、膝うえに本体をつなぐ補助具も付帯する。気軽に椅子に座り、毎日５分程度使用することにより骨盤底筋の強化が充分期待できる。
世の中の半数以上の女性は出産時に受けるダメージと老齢化とともに、弛む骨盤底筋によって起こるたった１回の尿漏れにショックは隠せず、人知れず悩むのが現状です。
本考案の骨盤底筋体操補助器具により、中年を過ぎた女性に限らず出産後の若い母親にも使用してもらい骨盤底筋の強化を図ってほしい。
【図１】
0003139627.tif 000003
【図２】
0003139627.tif 000004
【図３】
0003139627.tif 000005
【図４】
0003139627.tif 000006
【手続補正書】
【提出日】平成19年7月19日(2007.7.19)
【手続補正１】
【補正対象書類名】実用新案登録請求の範囲
【補正対象項目名】全文
【補正方法】変更
【補正の内容】
【実用新案登録請求の範囲】
【請求項１】
長方形の立方体形状の本体と、その本体が落下しない為の膝上に載せる補助具を一体とした器具で、椅子に座り両膝に挟み、骨盤底筋やその周辺の筋肉を引き締める運動をする。おもに女性の尿漏れの予防と改善を目的とした骨盤底筋体操の補助器具。
【請求項２】
前記本体は、ゴム、あるいは合成樹脂である弾性材料で形成され、椅子があれば気軽に装着し運動ができる骨盤底筋体操の補助器具。
【請求項３】
前記本体は、膝上の補助具と一体となり、椅子に座り、圧縮・開放を繰り返す請求項１又は請求項２に記載の骨盤底筋体操の補助器具。
【手続補正２】
【補正対象書類名】明細書
【補正対象項目名】全文
【補正方法】変更
【補正の内容】
【考案の詳細な説明】
【技術分野】本考案は骨盤底筋体操を効果的に行なうもので、本体を両膝に挟み圧縮・開放を繰り返し骨盤底筋の筋肉群の筋肉を動かし尿失禁の予防、改善を図るとともに強化することを目的とした運動補助器具。
【技術背景】
従来の尿失禁対策は失禁後のショーツやナプキン等を使用したり、薬を服用する方法がとられたり、器具を膣内へ挿入する手間がかかる方法や、立った姿勢で器具を股間に挟む方法などがあるが利便性に欠け、且つまた恥辱的である。
【考案の開示】
尿失禁後の対策として、ナプキン、尿漏れパッドと事後対策のみが先行し、根本治療となっていない。
本考案の目的は骨盤底筋群やその周辺の筋肉をも動かし改善と強化する為の骨盤底筋補助器具で、椅子に座った姿勢で手軽に使用可能であることを課題としている。
【問題を解決するための手段】
本考案は長方形の立方体形状で、ゴムか合成樹脂である弾性に富む材料で形成され、椅子に座った姿勢で両膝に挟み、肛門が絞まるのを意識しながら圧縮・開放を繰り返し骨盤底筋群の筋肉を強化し、尿失禁の予防と改善を目的としたものである。
本考案の本体は、圧縮時に加わる負荷は最大で２ｋｇ。使用する人の負荷の加減ができ、本体を圧縮した後、開放時に床などへ落下することを防止する為、膝上に本体をつなぐ補助具も付帯する。気軽に椅子に座り、毎日５分程度使用することにより骨盤底筋の強化が充分期待できる。
世の中の半数以上の女性は、出産時に受けるダメージと老齢化とともに、弛む骨盤底筋によって起こるたった１回の尿漏れにショックは隠せず、人知れず悩むのが現状である。
本考案の骨盤底筋体操補助器具により、中年を過ぎた女性に限らず出産後の若い母親にも使用してもらい骨盤底筋の強化を図ってほしい。
【図面の簡単な説明】
【図１】は、本考案の骨盤底筋体操補助器具の実例を示す正面図。
【図２】本器具の圧縮した状態の正面図である。
【図３】本器具の補助具を膝に載せ実施し、上から見た図である。
【図４】骨盤底筋体操補助器具の全体構成図。
【実施例】図面に従って実施例を説明する。
まず、椅子に座り両膝に本体を挟み（図１）、両膝上に落下防止補助具を装着（図３）。
次に両膝と肛門に力を入れ圧縮（図２）、開放を繰り返す。骨盤底筋群の筋肉を引き締めたり緩めたりの繰り返し運動を数秒間行ない、全体で５分間程度の運動を毎日続ける。
請求項１を繰り返し運動することによって尿漏れ予防・改善に役立てることができる。
【符号の説明】
▲１▼‥‥本体        ▲５▼‥‥右膝
▲２▼‥‥左すね      ▲６▼‥‥左落下防止の補助具
▲３▼‥‥右すね      ▲７▼‥‥右落下防止の補助具
▲４▼‥‥左膝
【手続補正書】
【提出日】平成19年11月9日(2007.11.9)
【手続補正１】
【補正対象書類名】実用新案登録請求の範囲
【補正対象項目名】全文
【補正方法】変更
【補正の内容】
【実用新案登録請求の範囲】
【請求項１】
この器具は、おもに女性の尿漏れの予防と改善を目的としたものである。長方形の立方体形状の本体と、本体が落下しない為の膝上に載せる補助具を一体化した器具で、椅子に座り両膝に挟み、骨盤底筋や、その周辺の筋肉を引き締める運動をする骨盤底筋体操の補助器具。
【請求項２】
前記本体は、ゴム、あるいは合成樹脂である弾性材料で形成され、椅子があれば気軽に装着し運動ができる請求項１の骨盤底筋体操の補助器具。
【請求項３】
前記本体は、膝上の補助具と一体となり、椅子に座り、圧縮・開放を繰り返す請求項１又は請求項２に記載の骨盤底筋体操の補助器具。
(57)【要約】【課題】従動ギア部材の耐久性の向上を図るとともに、製造コストの低減化を図ることのできるスピードメータ装置を提供する。【解決手段】車輪と共に回転する駆動ギア３と、該駆動ギア３と噛み合って、スピードメータに前記車輪の回転量を伝達する従動ギア部材４とを備えたスピードメータ装置１において、従動ギア部材４は、該従動ギア部材４の回転量をスピードメータに伝達するケーブル部材５のジョイント部４ｅを一方の軸端部４ｄに備えた金属性のギアシャフト４ａの中間部に、駆動ギア３に噛み合って、前記ギアシャフト４ａと共に回転するギア部４ｂを合成樹脂材料で一体にモールド成形する。【選択図】  図１
0003139614.tif 000002
【実用新案登録請求の範囲】
【請求項１】
車輪と共に回転する駆動ギアと、該駆動ギアと噛み合って、スピードメータに前記車輪の回転量を伝達する従動ギア部材とを備えたスピードメータ装置において、前記従動ギア部材は、該従動ギア部材の回転をスピードメータに伝達するケーブル部材のジョイント部を一方の軸端部に備えた金属性のギアシャフトの中間部に、前記駆動ギアに噛み合って、前記ギアシャフトと共に回転するギア部を合成樹脂材料で一体にモールド成形したことを特徴とするスピードメータ装置。
【考案の詳細な説明】
【技術分野】
【０００１】
本発明は、車輪の回転量をスピードメータに伝達するスピードメータ装置に係り、特に、車輪と共に回転する駆動ギアと噛み合って、前記スピードメータに回転量を伝達する従動ギア部材の構造に関する。
【背景技術】
【０００２】
従来、車輪の回転量から速度を検出するための二輪車等のスピードメータでは、車輪と共に回転する駆動ギアと、該駆動ギアと噛み合って、スピードメータへ回転量を伝達する従動ギア部材とから構成されている（例えば、特許文献１参照。）。
【特許文献１】特開２００３−１４７７５号公報
【考案の開示】
【考案が解決しようとする課題】
【０００３】
上述のスピードメータでは、従動ギア部材は通常金属で製作されていたが、ギア部の切削加工に手間が掛かることからコストが嵩んでいた。一方、従動ギア部材を合成樹脂材料で成形してコストダウンを図ったものもあるが、軸部の摩耗が激しく耐久性が低下していた。
【０００４】
そこで本考案は、従動ギア部材の耐久性の向上を図るとともに、製造コストの低減化を図ることのできるスピードメータ装置を提供することを目的としている。
【課題を解決するための手段】
【０００５】
上記の目的を達成するため本考案は、車輪と共に回転する駆動ギアと、該駆動ギアと噛み合って、スピードメータに前記車輪の回転量を伝達する従動ギア部材とを備えたスピードメータ装置において、前記従動ギア部材は、該従動ギア部材の回転をスピードメータに伝達するケーブル部材のジョイント部を一方の軸端部に備えた金属性のギアシャフトの中間部に、前記駆動ギアに噛み合って、前記ギアシャフトと共に回転するギア部を合成樹脂材料で一体にモールド成形したことを特徴としている。
【考案の効果】
【０００６】
本考案は上述のように、回転トルクが掛かって摩耗し易いギアシャフトを金属で形成することにより、耐久性の向上を図ることができるとともに、ギア部を合成樹脂部材で形成し、前記ギアシャフトに一体にモールド成形することにより、ギア部の製造に手間が掛からず、製造コストの低減化を図ることができる。
【考案を実施するための最良の形態】
【０００７】
以下、本考案の一形態例を各図面に基づいて詳しく説明する。図１はスピードメータ装置の要部断面説明図、図２は従動ギア部材の正面図、図３は従動ギア部材の断面図、図４は従動ギア部材の分解斜視図である。
【０００８】
スピードメータ装置１は、自動二輪車等の前輪側のハブ端部に装着されるもので、車輪と共に回転する出力軸２に一体に取り付けられる駆動ギア３と、該駆動ギア３の回転量を伝達する従動ギア部材４と、該従動ギア部材４からスピードメータ（図示せず）へ回転量を伝達するケーブル部材５とを備えている。
【０００９】
出力軸２は、前記ハブ端部に設けられたハウジング６に取り付けられたラジアル軸受７を介してハウジング６から回転可能な状態で突出し、ラジアル軸受７から突出した先端軸部２ａに、前記駆動ギア３が取り付けられている。駆動ギア３は、鋳鉄，鋼鉄，アルミニウム合金等の金属で形成され、ナット部材８によって前記先端軸部２ａに、該先端軸部２ａと共に回転可能に取り付けられている。
【００１０】
従動ギア部材４は、鋳鉄，鋼鉄，アルミニウム合金等の金属で形成されたギアシャフト４ａの中間部に、前記駆動ギア３に噛み合うギア部４ｂが、ポリプロピレン，ポリエチレン，塩化ビニール，ナイロン等の合成樹脂性材料で一体にモールド成形されている。前記ギアシャフト４ａは、軸部両端４ｃ，４ｄが、軸受部９ａ，９ｂにそれぞれ回転自在に支持され、一方の軸端部４ｄにはケーブル部材５のジョイント部４ｅが形成されるとともに、外周部にギア部４ｂを回止めする回止め凹部４ｆが形成されている。従動ギア部材４は、駆動ギア３に噛合しているギア部４ｂが、駆動ギア３の回転に伴って回転するとともにギアシャフト４ａを回転させ、ジョイント部４ｅに連結したケーブル部材５によってこの回転量をスピードメータへ伝達する。
【００１１】
本考案は、従動ギア部材４のギアシャフト４ａを金属で形成したことから、軸部両端４ｃ，４ｄの摩耗を抑えることができ、耐久性の向上を図ることができる。また、駆動ギア３と噛合するギア部４ｂを合成樹脂材料でモールド成形したことにより、ギア部４ｂを切削加工する必要がなく簡単に製造することができることから、製造コストの低減を図ることができる。
【図面の簡単な説明】
【００１２】
【図１】本考案の一形態例を示すスピードメータ装置の要部断面説明図である。
【図２】同じくスピードメータ装置の従動ギア部材を示す正面図である。
【図３】同じくスピードメータ装置の従動ギア部材の断面図である。
【図４】同じくスピードメータ装置の従動ギア部材の分解斜視図である。
【符号の説明】
【００１３】
１…スピードメータ装置、２…出力軸、２ａ…先端軸部、３…駆動ギア、４…従動ギア部材、４ａ…ギアシャフト、４ｂ…ギア部、４ｃ，４ｄ…軸部両端、４ｅ…ジョイント部、５…ケーブル部材、６…ハウジング、７…ラジアル軸受、８…ナット部材、９ａ，９ｂ…軸受部
【図１】
0003139614.tif 000003
【図２】
0003139614.tif 000004
【図３】
0003139614.tif 000005
【図４】
0003139614.tif 000006
(57)【要約】      （修正有）【課題】従来の自動車用カバーは吸盤を車の中から貼り付ける構造であるが、使い勝手が悪く、簡単に取り付けることができる構造とする。【解決手段】カバー１を自動車に取り付ける為の取り付け具が弾性のある紐２である自動車用カバーで、カバー１の両端に取り付けた弾性のある紐２を自動車のドアミラー３に引っかける構造のカバー。【選択図】図３
0003139603.tif 000002
【実用新案登録請求の範囲】
【請求項１】
カバー（１）を自動車に取り付ける為の取り付け具が弾性のある紐（２）である自動車用カバーで、カバー（１）の両端に取り付けた弾性のある紐（２）を自動車のドアミラー（３）に引っかけて使用する構造のカバー。
【請求項２】
請求項１記載のカバーで、カバー（１）の両端に取り付け用中間部材（４）を介して取り付けた弾性のある紐（２）を自動車のドアミラー（３）に引っかけて使用する構造のカバー。
【考案の詳細な説明】
【技術分野】
【０００１】
本発明は、自動車用カバーの取り付けの際  容易に取り付けることができるカバーの構造に関するものです。
【背景技術】
【０００２】
従来の日よけ又は霜よけ用の自動車用カバーはフロントガラスとドアの間にはさみこみかつ  カバー両端末に取り付けた吸盤をフロントガラス内側に固定する構造です。
【考案の開示】
【考案が解決しようとする課題】
【０００３】
そのため従来の取り付け構造では、両側のドアを開け、ドア内側から吸盤を取り付ける必要があり、容易にカバーを取り付けることができない。
【課題を解決するための手段】
【０００４】
本考案は上記課題を解決するために、請求項１及び請求項２に記載された自動車用カバーはカバー両端の弾性のある紐をドアミラーに取り付ける構造により、容易に取り付けることができることを特徴とする。
【考案の効果】
【０００５】
本考案の請求項１及び請求項２に記載されているカバーはドアミラーに固定する構造なので、ドア施錠後にも取り付け可能であり、又  ドアミラーに引っかける部分が弾性のある紐であるためカバー取り付け後ドアを開けても取り付け状態が維持される。
【考案を実施するための最良の形態】
【０００６】
本発明の形態を実施例に基づき図面を参照して説明します。  図３は本発明の自動車用カバーを自動車に取り付けた状態の斜視図であり、カバー（１）の両端に取り付けた弾性のある紐（２）を自動車のドアミラー（３）引っかけた状態を示します。
【実施例１】
【０００７】
図１は、本考案の１実施例の断面図であって、（１）、（２）は、図２と同様である。自動車ガラスを覆うカバー（１）と  自動車ドアミラーに引っかけるための弾性のある紐（２）により構成される。
【実施例２】
【０００８】
図２の実施例は、図１に対し、カバー（１）と弾性のある紐（２）の間に  中間部材（４）を入れ  カバーのたるみ防止及び収納性向上等を目的とする。
【産業上の利用可能性】
【０００９】
弾性のある紐をドアミラーに引っかけるだけで自動車用カバーは日よけ、霜よけ効果を発揮することができる。
【図面の簡単な説明】
【００１０】
【図１】自動車に固定させる為の取り付け具が弾性のある紐であるカバーの正面図である。
【図２】自動車に固定させる為の取り付け具が弾性のある紐と取り付け部材であるカバーの正面図である。
【図３】本考案の自動車用カバーをドアミラーに引っかけた状態の斜視図である。
【符号の説明】
【００１１】
１    カバー
２    弾性のある紐
３    ドアミラー
４    中間部材
【図１】
0003139603.tif 000003
【図２】
0003139603.tif 000004
【図３】
0003139603.tif 000005
(57)【要約】【課題】靴の中底、或いは、中敷構造の提供。【解決手段】靴の中底、或いは、中敷構造の構造であって、靴の中底（内層靴底）、或いは、中敷は、檜屑に檜精油を加えるか、或いは、樟脳屑等の単一木屑に精油を加えた後、ラテックス、或いは、ゴム樹脂を混合してなり、精油は木屑と同類の精油、或いは、異なる精油で、神経を穏やかにし、リラックスする作用を有する。檜屑はそれ自身が特殊な油脂Pythoncidereを有し、好ましい防潮、防腐効果を有し、また、人体の健康を促進、疾病抵抗力を向上する長所を有する。また、樟脳屑も芳香、防腐、防虫、異臭吸収効果、空気浄化作用を有する。本考案は、檜屑、及び、樟脳屑にそれぞれ精油を加え、ラテックス、或いは、ゴム樹脂を金型内で混合して、中底（内層靴底）と中敷を発泡成形し、弾性がよく、製作が便利であるという効果を達成する。【選択図】図２
0003139602.tif 000002
【実用新案登録請求の範囲】
【請求項１】
靴の中底、或いは、中敷構造であって、精油を含むラテックス、或いは、ゴムにより形成され、複数の檜、或いは、樟脳の細粒を含み、均一に分布する構造を形成することを特徴とする靴の中底、或いは、中敷構造。
【請求項２】
前記精油は檜精油、或いは、樟脳精油、或いは、ラベンダー精油、或いは、ローズマリーのどれかであることを特徴とする請求項１に記載の靴の中底、或いは、中敷構造。
【考案の詳細な説明】
【技術分野】
【０００１】
本考案は靴の中底中敷構造に関するものであって、檜屑、及び、樟脳屑に精油を加えるか、或いは、単一の木屑に精油を加えた後、ラテックス、或いは、ゴム樹脂を金型内で発泡成形してなり、靴底の防臭、殺菌を達成し、自然に香りが散発し、人体の健康を促進して、疾病抵抗力を向上させる中敷構造に関する。
【背景技術】
【０００２】
公知技術では、靴の中敷は多くが通気式構造により防臭、防潮の作用を達成し、PU原料によりなる靴底を組み合わせるが、通気効果には限りがあり、熱気と湿気を排除する効果が理想的ではなく、汗が溜まり、異臭や細菌が生じ、足部の健康に影響する。
【考案の開示】
【考案が解決しようとする課題】
【０００３】
上述の問題を改善するため、本考案は、檜屑、及び、樟脳屑に精油を加え、ラテックスかゴム樹脂により構成される中底中敷構造を提供することにある。
【課題を解決するための手段】
【０００４】
本考案の中底、或いは、中敷の構造は、檜屑、樟脳屑を一定規格に砕いた後、精油を加えて、ラテックス、或いは、ゴム樹脂と混合し、金型内で、中底（内層靴底）と中敷に発泡成形する。
【考案の効果】
【０００５】
本考案の中底中敷の構造は、檜屑、樟脳屑をに、精油を加えて、ラテックス、或いは、ゴム樹脂と混合し、金型内で、中底（内層靴底）と中敷に発泡成形したもので、同類の精油により、檜、或いは、樟脳の効果を増強し、防潮、防臭、自然芳香、駆虫、健康促進、及び、疾病抵抗力増強の効果を達成する。
【考案を実施するための最良の形態】
【０００６】
図１は、本考案の中底、或いは、中敷の構造を示す図で、檜屑、或いは、樟脳屑を一定規格に砕いた後、精油を加えるか、或いは、単一の木屑に精油を加えた後、ラテックス、或いは、ゴム樹脂と混合し、金型内で、中底（内層靴底）１と中敷２に発泡成形し、中底（内層靴底）１上方に可動式中敷２を置放し（図２で示される）、中敷２は個人の必要に応じて取り替えることができる。
【０００７】
図３は、もう一つの実施例を示す図で、中底（内層靴底）１をスリッパ、サンダルの底部とし、中底(内層靴底)１、スリッパ２の構造は使用者の必要に応じて、単一の檜屑、樟脳屑に相同、或いは、その他の精油（ラベンダー、ティツリー、或いは、ローズ精油）等を加え、ラテックス、或いは、ゴム樹脂を混合するか、或いは、檜屑、及び、樟脳屑に精油を加えて、ラテックス、或いは、ゴム樹脂を混合してなり、本考案は、更に、多元化して使用できる。
【０００８】
本考案と公知技術の比較結果は以下のようである。
公知の欠点
１．  
公知の靴底は大部分が単純なPU材料、或いは、ゲル原料からなり、足部が生成する熱気や湿気が靴体外にうまく排出できず、脚部に汗が溜まりやすい。
２．  
足部に異臭や細菌が発生し、足部の健康を損ね、足部が感染する恐れがある。
本考案の長所
１．  
中底、或いは、中敷の構造は、足部が生成する湿気、及び、異臭は、樟脳、及び、檜の特性により除去され、足部の異臭と細菌の生成を抑制し、足部の健康を守る。
２．  
中底、或いは、中敷構造は、一般の包覆状の靴体に適用できるだけでなく、スリッパ、サンダルにも使用することができ、樟脳、檜が防臭効果を発揮し、疾病抵抗力を増強することができる。
【図面の簡単な説明】
【０００９】
【図１】本考案の中底、或いは、中敷構造の製作工程図である。
【図２】本考案の好ましい実施例による図である。
【図３】本考案のもう一つの実施例による図である。
【符号の説明】
【００１０】
１        中底（内層靴底）
２        中敷
【図１】
0003139602.tif 000003
【図２】
0003139602.tif 000004
【図３】
0003139602.tif 000005